(57)【要約】  【課題】人体表面を斜めに走るストラップ用に適当なバックルを提供する。  【解決手段】雌部材（２）とそれに対して着脱可能な雄部材（３）からなるバックル（１）である。前記雌部材（２）は、先端に雄部材と嵌りあう挿入用開口（２１）を有し、側部にはロック用開口（２２）を一対有し、後端にはストラップと接続するための接続部（２３）を有している。前記雄部材（３）は、前部に２本の係合突起（３１）を有し、後部にこれらの突起を支持する基部（３３）を有し、この基部はストラップと接続するための接続部（３５，３６）を有している。前記雌部材（２）及び前記雄部材（３）が対角線方向にねじれて高低差（Ｈ）を発生させている。
2011115267.tif 000002
【特許請求の範囲】
【請求項１】
雌部材（２，２Ａ）とそれに対して着脱可能な雄部材（３，３Ａ）からなるバックル（１，１Ａ）であって、
前記雌部材（２，２Ａ）は、先端に前記雄部材（３，３Ａ）と嵌りあう挿入用開口（２１，２１Ａ）を有し、側部にはロック用開口（２２，２２Ａ）を一対有し、後端にはストラップと接続するための接続部（２３，２３Ａ）を有しており、
前記雄部材（３，３Ａ）は、前部に前記ロック用開口（２２，２２Ａ）と係合する２本の係合突起（３１，３１Ａ）を有し、後部にこれらの係合突起を支持する基部（３３，３３Ａ）を有し、この基部はストラップと接続するための接続部（３５，３６，３５Ａ，３６Ａ）を有しており、
前記雌部材（２，２Ａ）及び前記雄部材（３，３Ａ）が対角線方向にねじれて高低差（Ｈ）を発生させていることを特徴とするバックル。
【請求項２】
前記ねじれにより生ずる高低差（Ｈ）が、前記バックル（１）の厚みの１．２〜４倍である請求項１記載のバックル。
【請求項３】
前記高低差（Ｈ）により生じるねじれ角度が組み立て状態で１０〜１８度である請求項２記載のバックル。
【請求項４】
前記雌部材（２Ａ）のねじれ角度が８〜１２度、前記雄部材（３Ａ）のねじれ角度が−２〜−６度である請求項３記載のバックル。
【請求項５】
前記雌部材（２Ａ）及び前記雄部材（３Ａ）に対して係合時のスライド用にガイド部材（２４，３７）を設けた請求項１ないし４のいずれかに記載のバックル。
【請求項６】
前記ガイド部材が一方部材に設けたスライド方向に伸びる溝（３７）と他方部材に設けた相補的形状の畝（２４）である請求項５記載のバックル。
【請求項７】
さらに前記雄部材（３Ａ）の上下を取り違えて前記雌部材（２Ａ）に差し込むことを防止する誤操作防止手段を有する請求項１ないし６のいずれかに記載のバックル。
【請求項８】
前記誤操作防止手段が、前記雌雄部材のいずれかの内表面に設けた畝（２４）である請求項７記載のバックル。
【請求項９】
ねじれの方向に向かって前記バックルの外側側部（２５，３８）輪郭に傾斜を持たせて左右が非対称となっている請求項１ないし８のいずれかに記載のバックル。
【発明の詳細な説明】
【技術分野】
【０００１】
本発明はバックルに関する。特に、リュックサックやランドセルなどのように肩から胸を経由して腰まで斜めに取り付けられるストラップ用として適当なバックルに関する。
【背景技術】
【０００２】
上記タイプのストラップは、腰ベルトなどと異なり、ストラップが体の表面を斜めに走るので通常の平面型バックルでは強く当たる部分とほとんど当たらない部分ができてしまう。そのため、バックルの角部が部分的に強く体に当たることがあり、着用者に不快感を与えている。【０００３】
このような欠点をなくすため、湾曲したバックルが考案されている。たとえば、ヘルメットのあご紐用締付用バックルとして実開昭６１−１８４４０８号の考案が知られている。
【発明の概要】
【発明が解決しようとする課題】
【０００４】
円弧を描くように湾曲したバックルは、あご紐用や腰ベルト用には適当であるが、前記したタイプのストラップ用バックルとしてはまだ不十分である。【０００５】
本発明は、この問題を解決して、人体表面を斜めに走るストラップに適当なバックルを提供することを目的とする。
【課題を解決するための手段】
【０００６】
本発明は、雌部材とそれに対して着脱可能な雄部材からなるバックルであって、前記雌部材は、先端に雄部材と嵌りあう挿入用開口を有し、側部にはロック用開口を一対有し、後端にはストラップと接続するための接続部を有しており、前記雄部材は、前部に前記ロック用開口と係合する２本の係合突起を有し、後部にこれらの係合突起を支持する基部を有し、この基部はストラップと接続するための接続部を有しており、前記雌部材及び前記雄部材が対角線方向にねじれて高低差を発生させていることを特徴とする。【０００７】
好ましくは、前記ねじれにより生ずる対角線方向の最高位置と最低位置の高低差が、前記バックルの厚みの１．２〜４倍、より好ましくは１．３〜２倍である。【０００８】
前記高低差により生じるねじれを角度で表現すると、雌部材のねじれは８〜１２度、好ましくは９〜１１度、最も好ましくは約１０度、雄部材のねじれは−２〜−６度、好ましくは−３〜−５度、最も好ましくは−４度、組み立て状態では、１０〜１８度、好ましくは１１〜１６度、最も好ましくは約１４度である。【０００９】
このようにねじれたバックルは、雄部材と雌部材を係合させるときに、スムーズに入らない場合があり得る。それを避けてスライド移動を自然なものとするために案内部材を設けることが好ましい。そのような案内部材は、たとえば、一方部材に設けたスライド方向に伸びる溝と他方部材に設けた相補的形状の畝である。【００１０】
好ましくは、雄部材の上下を取り違えて雌部材に差し込むことを防止する誤操作防止手段を設ける。前記誤操作防止手段は、たとえば雌雄部材のいずれかの内表面に設けた畝である。【００１１】
好ましくは、ねじれの方向に向かってバックルの外側側部輪郭に傾斜を持たせて左右を非対称とする。
【発明の効果】
【００１２】
本発明のバックルは、全体として対角線方向にねじれているので、人体表面に沿いやすく、満遍なく人体に当たるので、角部のみ部分的に強く体に当たるような事態を避けることができる。また、本発明のバックルは独特の外観を呈するので、需要者の好奇心を刺激することができる。【００１３】
特に、前記ねじれにより生ずる対角線方向の最高位置と最低位置の高低差を、前記バックルの厚みの１．２〜４倍とすることにより、人体表面に最も沿いやすくなる。【００１４】
さらにねじれの方向に向かってバックルの外側側部輪郭に傾斜を持たせて左右を非対称とすることにより見た目にねじれが強調されて、独特の外観がいっそう強調される。【００１５】
以下、添付図面に基づき、本発明の実施例を説明する。
【図面の簡単な説明】
【００１６】
【図１】本発明の第１実施例に係るバックルを取り付けたリュックサックの斜視図である。
【図２】本発明の第１実施例に係るバックルの（ａ）は平面図、（ｂ）は側面図、（ｃ）は左側面図、（ｄ）は右側面図である。
【図３】本発明の第１実施例に係るバックルの雌雄部材を係合させようとするときの側面図である。
【図４】本発明の第２実施例に係るバックルの斜視図である。
【図５】本発明の第２実施例に係るバックルの（ａ）は平面図、（ｂ）は側面図、（ｃ）は左側面図、（ｄ）は右側面図である。
【図６】本発明の第２実施例に係るバックルの雌雄部材を係合させようとするときの側面図である。
【実施例１】
【００１７】
図１の実施例においては、本発明のバックル１はリュックサック４やランドセルなどのように肩から胸を経由して腰まで斜めに取り付けられる一対のストラップ５に対して使用されている。本発明の特徴部分を除けば、この種のバックルは周知である（たとえば、特開２００１−３４６６１２参照）。【００１８】
図３に示すように、このバックル１は雌部材２とそれに対して着脱可能な雄部材３の２部品からなる。両者は合成樹脂により成型されている。【００１９】
雌部材２は、全体は平たい箱状であるが、先端に雄部材３と嵌りあう挿入用開口２１を有し、側部にはロック用開口２２を一対有し、後端にはストラップ５と接続するための接続部（取付溝）２３を有している。【００２０】
雄部材３は、前半部にカニの爪のような２本の係合突起３１と１本のガイド用突起３２を有し、後半部にこれらの突起を支持する長方形状の基部３３を有する。係合突起３１の先端には膨出部３４が形成されている。基部３３にはストラップと接続するための接続部（取付溝）３５，３６が設けられている。取付溝は２本あり、ここでストラップの長さ調節が可能である。【００２１】
雄部材３を雌部材２の先端開口に差し込んで雌雄部材を結合したとき、バネ作用を有する雄部材３の係合突起３１が雌部材のロック用開口２２と係合し、両者の結合が確かなものとなる。両者の結合を解除するには、雌部材のロック用開口２２から露出している雄部材の膨出部３４を指で内方へ押して、係合突起のバネ作用を抑制してから両者を引き離せばよい。【００２２】
本発明の特徴は、バックル全体が平面的ではなく、対角線方向にねじれていることである。すなわち、図２（ａ）の平面図では、左上の部分が下がり、右下の部分が上がっている。図２（ｂ）の側面図及び（ｃ）左側面図、（ｄ）右側面図を見るとそのことがよく分かる。【００２３】
ねじれの程度は、最高位置と最低位置の高低差Ｈ（図２（ｂ））で表すことができる。この高低差Ｈは、バックルの厚みの１．２〜４倍程度が好ましく、より好ましくは１．５〜３倍である。【００２４】
上記実施例のバックルは、人体の右側位置に装着しやすい右側タイプであり、左側位置に装着しやすい左側タイプは右側タイプと対称的な部品を使用することにより製作することができる。しかし、もし１種類で済ませたいときには、たとえば右側タイプのみ使用し、左側に使用するときには右側タイプのものを上下逆にして使用することができる。
【実施例２】
【００２５】
図４〜６は、本発明の第２実施例である。全体的に第１実施例とよく似ているので、第１実施例に対応する部品には同実施例の符号に「Ａ」を付して、詳細な説明を省略する。【００２６】
第２実施例が第１実施例と異なる点は、雄部材を雌部材に差し込んだときにスムーズにスライド移動させることができるようにガイド部材を雌雄両方の部材に設けていることである。すなわち、図６に最もよく示されているように、雌部材２Ａには、挿入用開口２１Ａから挿入方向に伸びる畝２４が設けられており、雄部材３Ａには、その畝２４と相補的な溝３７が設けられている。この畝２４と溝３７が嵌りあってスムーズに係合が行われる。さらに、雄部材３Ａの溝３７が目印となって、雄部材３Ａの上下を間違えにくくするだけでなく、雌部材２Ａの畝２４のために誤った方向から雄部材３Ａを差し込むことができなくなるという効果もある。【００２７】
この実施例においては、図５（ｂ）に示すように、雌部材のねじれ角度（θ１）は約１０度、雄部材のねじれ角度（θ２）は約−４度、組み立て状態では、約１４度である。【００２８】
さらに作図上の限界により図面からは読みとりにくいが、ねじれの方向に向かってバックルの外側側部２５，３８の輪郭に傾斜を持たせて左右が非対称とされている。このことにより見た目にねじれが強調されて、独特の美観が引き立つ。
【先行技術文献】
【特許文献】
【００２９】
【特許文献１】実開昭６１−１８４４０８号
【特許文献２】特開２００１−３４６６１２
【符号の説明】
【００３０】
１，１Ａ      バックル
２，２Ａ      雌部材
２１，２１Ａ  挿入用開口
２２   ，２２Ａ  ロック用開口
２３，２３Ａ  接続部
２４  畝
３，３Ａ      雄部材
３１   ，３１Ａ  係合突起
３２   ガイド用突起
３３，３３Ａ  基部
３４   ，３４Ａ  膨出部
３５，３６；３５Ａ，３６Ａ  接続部
３７  溝
４     リュックサック
５     ストラップ
Ｈ    高低差
θ    ねじれ角度
【図１】
2011115267.tif 000003
【図２】
2011115267.tif 000004
【図３】
2011115267.tif 000005
【図４】
2011115267.tif 000006
【図５】
2011115267.tif 000007
【図６】
2011115267.tif 000008
【国際調査報告】
2011115267.tif 000009
2011115267.tif 000010